(57)【要約】【課題】原稿を搬送して読み取る画像読取装置において、読み取りができない領域の発生を抑制すること。【解決手段】画像読取装置１では、原稿の原稿長を搬送経路に沿った供給ローラと第１搬送ローラの間の第１搬送距離Ｌ１及び搬送経路に沿った供給ローラと第２搬送ローラとの間の第２搬送距離Ｌ２と比較する（Ｓ３４）。そして、原稿長が第１搬送距離Ｌ１以上の長さを有し、第２搬送距離Ｌ２よりも短い第１原稿種の原稿である場合（Ｓ３４：ＹＥＳ）、所定のタイミングで搬送停止命令を出力して原稿が供給ローラから離反する離反タイミングにおける原稿の搬送速度を遅くし（Ｓ３８）、原稿を読み取る（Ｓ３０）。【選択図】図５
2014103560.tif 000002
【特許請求の範囲】
【請求項１】
原稿が載置される載置部と、
前記載置部に載置された前記原稿に接触して回転し、前記原稿を一枚ずつ搬送経路へと送り出す供給ローラと、
第１搬送ローラと第２搬送ローラとを有し、前記供給ローラによって前記搬送経路へと送り出された前記原稿を前記第１搬送ローラ、前記第２搬送ローラの順に用いて前記搬送経路に沿って搬送する搬送部と、
前記搬送部によって搬送された前記原稿が排出される排出部と、
前記搬送経路上の前記第１搬送ローラと前記第２搬送ローラとの間の読取位置に配置され、前記搬送部によって搬送される前記原稿を前記読取位置で主走査方向に読み取る画像読取部と、
制御部と、
を備え、
前記制御部は、
前記搬送経路に沿った搬送方向における前記原稿の原稿長が、前記搬送経路に沿った前記第１搬送ローラと前記第２搬送ローラとの間の第１搬送距離以上の長さを有し、前記搬送経路に沿った前記供給ローラと前記第２搬送ローラとの間の第２搬送距離よりも短い第１原稿種であるか、前記第２搬送距離以上の長さを有する第２原稿種であるかを判断する判断処理と、
前記判断処理における判断結果が第１原稿種である場合に、前記判断結果が第２原稿種である場合に比べて、前記原稿が前記供給ローラから離反する離反タイミングにおける前記原稿の搬送速度を遅くして搬送させる搬送制御処理と、
前記搬送制御処理により搬送される前記原稿を前記画像読取部に読み取らせる読取処理と、
を実行する、画像読取装置。
【請求項２】
請求項１に記載の画像読取装置であって、
前記制御部は、
前記搬送制御処理において、前記原稿の搬送速度を減速させる減速命令を出力して、前記離反タイミングにおける前記原稿の搬送速度を遅くする、画像読取装置。
【請求項３】
請求項２に記載の画像読取装置であって、
前記制御部は、
前記搬送制御処理において、前記離反タイミングに前記減速命令を出力する、画像読取装置。
【請求項４】
請求項１に記載の画像読取装置であって、
前記搬送制御処理には、
前記原稿が第１原稿種である場合に、前記原稿が第２原稿種である場合に比べて前記原稿の搬送速度を遅く設定する設定処理と、
前記設定処理の設定により前記原稿を搬送する搬送処理と、
を含む、画像読取装置。
【請求項５】
請求項１ないし請求項４のいずれか１項に記載の画像読取装置であって、
前記供給ローラは、前記搬送経路の前記主走査方向の搬送領域のうちの一部分に設けられ、
前記第１搬送ローラは、前記搬送領域の全域に設けられるとともに前記主走査方向において複数のローラを有し、
前記制御部は、
前記原稿が、前記第１搬送ローラにおいて基準数以下のローラにより搬送される幅狭原稿種であるか、前記第１搬送ローラにおいて前記基準数より多くのローラにより搬送される幅広原稿種であるかを判断するプレ判断処理を更に実行し、
前記プレ判断処理において、前記原稿が幅狭原稿種であると判断した場合に、前記判断処理を実行する、画像読取装置。
【請求項６】
請求項５に記載の画像読取装置であって、
前記排出部は、第１排出部と第２排出部を有し、
前記搬送経路は、前記第２搬送ローラの下流側において第１搬送経路と、第２搬送経路とに分岐し、
前記搬送部は、前記幅狭原稿種の原稿を前記第１搬送経路を用いて前記第１排出部に搬送し、前記幅広原稿種の原稿を第２搬送経路を用いて前記第２排出部に搬送する、画像読取装置。
【請求項７】
請求項１ないし請求項６のいずれか一項に記載の画像読取装置であって、
更に、
操作部を備え、
前記制御部は、
前記判断処理において、前記操作部を介して受け付けた前記原稿の原稿サイズに基づいて、前記原稿の原稿長を検知し、原稿種を判断する、画像読取装置。
【請求項８】
請求項１ないし請求項６のいずれか一項に記載の画像読取装置であって、
前記原稿は、定型サイズの原稿であり、かつ、前記原稿の原稿長は、前記搬送経路に沿った前記供給ローラと前記読取位置との間の第３搬送距離よりも長く、
前記制御部は、
前記判断処理において、前記画像読取部が前記原稿の前記搬送方向先端を読み取った先端読取データに基づいて、前記原稿の原稿長を検出し、原稿種を判断する、画像読取装置。
【発明の詳細な説明】
【技術分野】
【０００１】
本明細書に開示される発明は、原稿を搬送して読み取る画像読取装置に関する。
【背景技術】
【０００２】
従来、原稿を搬送して読み取る画像読取装置が知られている（例えば、特許文献１）。画像読取装置では、搬送される原稿の厚みが厚くなると、原稿に曲がり癖がついたり、ジャムが発生するなどの問題が生じる。そのため、従来から、搬送される原稿の厚さを検出し、検出した原稿の厚さによって搬送経路を切り換える技術が用いられている。
【先行技術文献】
【特許文献】
【０００３】
【特許文献１】特開平１１−１２７３０１号公報
【発明の概要】
【発明が解決しようとする課題】
【０００４】
原稿を搬送して読み取る画像読取装置では、原稿の厚みだけではく、原稿の原稿サイズによっても問題が発生することがある。例えば、画像読取装置の搬送経路に沿って、上流側から給紙トレイに載置された原稿を、一枚ずつ搬送経路へと送り出す供給ローラ、第１搬送ローラ、第２搬送ローラがこの順に配置されている装置を考える。この画像読取装置では、原稿の搬送方向における原稿長が搬送経路に沿った供給ローラと第１搬送ローラとの間の距離よりも長く、搬送経路に沿った第１搬送ローラと第２搬送ローラとの間の距離よりも長い場合に、これらのローラを用いて原稿を搬送することができる。
【０００５】
搬送経路に沿って搬送される原稿は、第１搬送ローラ及び第２搬送ローラから搬送方向の推進力を受ける一方、供給ローラから搬送方向と逆方向の抑止力を受けることで、しわなどの発生が抑制された状態で搬送される。そのため、原稿が供給ローラと離反する際には、それまで供給ローラから受けていた抑止力から開放されることから、瞬間的に原稿の搬送速度が上昇する事象が生じる。
【０００６】
この場合において、原稿の原稿長が搬送経路に沿った供給ローラと第２搬送ローラの間の搬送距離よりも短いと、当該原稿が供給ローラから離反する際に、当該原稿が第１搬送ローラのみ当接する。一方、原稿の原稿長が搬送距離以上であると、当該原稿が供給ローラから離反する際に、当該原稿が第１搬送ローラ及び第２搬送ローラに当接する。そのため、原稿の原稿長が搬送距離よりも短い原稿では、原稿の原稿長が搬送距離以上の原稿に比べて、原稿が供給ローラから離反する際の瞬間的な原稿の搬送速度の上昇が抑制されにくく、その結果、原稿の一部分に読み取りができない領域が生じる問題が発生する。このように、原稿を搬送して読み取る画像読取装置では、原稿の原稿サイズによって、原稿の一部分に読み取りができない領域が生じる問題が生じる。
【０００７】
本明細書では、原稿を搬送して読み取る画像読取装置において、読み取りができない領域の発生を抑制する技術を開示する。
【課題を解決するための手段】
【０００８】
本明細書によって開示される画像読取装置は、原稿が載置される載置部と、前記載置部に載置された前記原稿に接触して回転し、前記原稿を一枚ずつ搬送経路へと送り出す供給ローラと、第１搬送ローラと第２搬送ローラとを有し、前記供給ローラによって前記搬送経路へと送り出された前記原稿を前記第１搬送ローラ、前記第２搬送ローラの順に用いて前記搬送経路に沿って搬送する搬送部と、前記搬送部によって搬送された前記原稿が排出される排出部と、前記搬送経路上の前記第１搬送ローラと前記第２搬送ローラとの間の読取位置に配置され、前記搬送部によって搬送される前記原稿を前記読取位置で主走査方向に読み取る画像読取部と、制御部と、を備え、前記制御部は、前記搬送経路に沿った搬送方向における前記原稿の原稿長が、前記搬送経路に沿った前記第１搬送ローラと前記第２搬送ローラとの間の第１搬送距離以上の長さを有し、前記搬送経路に沿った前記供給ローラと前記第２搬送ローラとの間の第２搬送距離よりも短い第１原稿種であるか、前記第２搬送距離以上の長さを有する第２原稿種であるかを判断する判断処理と、前記判断処理における判断結果が第１原稿種である場合に、前記判断結果が第２原稿種である場合に比べて、前記原稿が前記供給ローラから離反する離反タイミングにおける前記原稿の搬送速度を遅くして搬送させる搬送制御処理と、前記搬送制御処理により搬送される前記原稿を前記画像読取部に読み取らせる読取処理と、を実行する。
【０００９】
この画像読取装置では、原稿の原稿長を装置固有の第１搬送距離及び第２搬送距離と比較し、第１原稿種と判断された原稿の離反タイミングにおける搬送速度を、第２原稿種と判断された原稿に対して遅くして搬送させる。第１原稿種の原稿は、原稿長が第２搬送距離より短く、離反タイミングにおいて第２搬送ローラに当接していないことから、原稿長が第２搬送距離よりも長く、離反タイミングにおいて第２搬送ローラに当接している第１原稿種の原稿に比べて、離反タイミングにおいて搬送速度が上昇しやすい。この画像読取装置では、第１原稿種の原稿に対して、第２原稿種の原稿よりも離反タイミングにおける搬送速度を遅くするので、第１原稿種の原稿において離反タイミングにおける搬送速度の上昇を抑制することができ、搬送速度の瞬間的な上昇による読み取りができない領域の発生を抑制することができる。
【００１０】
また、上記の画像読取装置では、前記制御部は、前記搬送制御処理において、前記原稿の搬送速度を減速させる減速命令を出力して、前記離反タイミングにおける前記原稿の搬送速度を遅くする構成としても良い。
【００１１】
この画像読取装置によれば、減速命令を出力して離反タイミングにおける原稿の搬送速度を遅くするので、離反タイミングにおける原稿の搬送速度を限定的に遅くすることができる。
【００１２】
また、上記の画像読取装置では、前記制御部は、前記搬送制御処理において、前記離反タイミングに前記減速命令を出力する構成としても良い。
【００１３】
一般に搬送速度が変化する場合は、搬送速度が一定の場合に比べて画像読取部が読み取った読取データの画質が低下しやすい。この画像読取装置によれば、離反タイミングにおいて減速命令を出力するので、原稿の読み取り開始から離反タイミングまでの間において、読取データの画質の低下を抑制することができる。
【００１４】
また、上記の画像読取装置では、前記搬送制御処理には、前記原稿が第１原稿種である場合に、前記原稿が第２原稿種である場合に比べて前記原稿の搬送速度を遅く設定する設定処理と、前記設定処理の設定により前記原稿を搬送する搬送処理と、を含む構成としても良い。
【００１５】
この画像読取装置によれば、第１原稿種と第２原稿種で原稿の搬送速度を各々設定するので、離反タイミングを含む原稿の搬送期間全体に亘って、第１原稿種の原稿の搬送速度を第２原稿種の原稿の搬送速度に比べて遅くすることができる。
【００１６】
また、上記の画像読取装置では、前記供給ローラは、前記搬送経路の前記主走査方向の搬送領域のうちの一部分に設けられ、前記第１搬送ローラは、前記搬送領域の全域に設けられるとともに前記主走査方向において複数のローラを有し、前記制御部は、前記原稿が、前記第１搬送ローラにおいて基準数以下のローラにより搬送される幅狭原稿種であるか、前記第１搬送ローラにおいて前記基準数より多くのローラにより搬送される幅広原稿種であるかを判断するプレ判断処理を更に実行し、前記プレ判断処理において、前記原稿が幅狭原稿種であると判断した場合に、前記判断処理を実行する構成としても良い。
【００１７】
離反タイミングにおける原稿の搬送速度の上昇は、原稿の主走査方向における原稿幅にも起因する。一般に、原稿幅が比較的狭く、主走査方向に並んだ基準数以下のローラにより搬送される幅狭原稿種の原稿は、原稿幅が比較的広く、主走査方向に並んだ基準数より多くのローラにより搬送される幅広原稿種の原稿に比べて、離反タイミングにおける瞬間的な原稿の搬送速度の上昇が抑制されにくく、原稿に読み取りができない領域が発生しやすい。
【００１８】
この画像読取装置では、原稿が幅広原稿種である場合に、原稿長を用いた判断処理を実行するので、離反タイミングにおける瞬間的な原稿の搬送速度の上昇が抑制されにくい幅広原稿種であり、かつ第１原稿種の原稿において、瞬間的な原稿の搬送速度の上昇を抑制することができ、読み取りができない領域の発生を抑制することができる。
【００１９】
また、上記の画像読取装置では、前記排出部は、第１排出部と第２排出部を有し、前記搬送経路は、前記第２搬送ローラの下流側において第１搬送経路と、第２搬送経路とに分岐し、前記搬送部は、前記幅狭原稿種の原稿を前記第１搬送経路を用いて前記第１排出部に搬送し、前記幅広原稿種の原稿を第２搬送経路を用いて前記第２排出部に搬送する構成としても良い。
【００２０】
一般に、幅狭原稿種の原稿は、幅広原稿種の原稿に比べて原稿長が短い。この画像読取装置によれば、比較的原稿長の短い幅狭原稿種の原稿を、第１搬送経路を用いて搬送することができ、比較的原稿長の長い幅広原稿種の原稿を、第２搬送経路を用いて搬送することができる。
【００２１】
また、上記の画像読取装置では、更に、操作部を備え、前記制御部は、前記判断処理において、前記操作部を介して受け付けた前記原稿の原稿サイズに基づいて、前記原稿の原稿長を検知し、原稿種を判断する構成としても良い。
【００２２】
この画像読取装置では、読取処理に先だって実行される判断処理において、操作部を介して受け取った原稿サイズから原稿の原稿長を検出し、原稿の原稿種を判断するので、原稿を読み取るに先だって、原稿の原稿種を判断することができる。
【００２３】
また、上記の画像読取装置では、前記原稿は、定型サイズの原稿であり、かつ、前記原稿の原稿長は、前記搬送経路に沿った前記供給ローラと前記読取位置との間の第３搬送距離よりも長く、前記制御部は、前記判断処理において、前記画像読取部が前記原稿の前記搬送方向先端を読み取った先端読取データに基づいて、前記原稿の原稿長を検出し、原稿種を判断する構成としても良い。
【００２４】
この画像読取装置では、原稿の搬送方向先端を読み取った先端読取データから原稿の原稿長を検出し、原稿の原稿種を判断するので、原稿の原稿種を正確に判断することができる。
【発明の効果】
【００２５】
本明細書によって開示される画像読取装置では、原稿を搬送して読み取る画像読取装置において、読み取りができない領域の発生を抑制することができる。
【図面の簡単な説明】
【００２６】
【図１】画像読取装置の概略的な断面図
【図２】本体部の概略的な上面図
【図３】画像読取装置の電気的構成を概略的に示すブロック図
【図４】搬送読取処理を示すフローチャート
【図５】実施形態１の読取処理を示すフローチャート
【図６】離反タイミングにおける各原稿サイズの原稿の位置を示す図
【図７】原稿の搬送速度の時間変化を示す図
【図８】実施形態２の読取処理を示すフローチャート
【図９】実施形態３の読取処理を示すフローチャート
【図１０Ａ】離反タイミングにおいて、搬送部から原稿に加わる力を示す図
【図１０Ｂ】離反タイミングにおいて、搬送部から原稿に加わる力を示す図
【発明を実施するための形態】
【００２７】
＜実施形態１＞
実施形態１を、図１ないし図８を用いて説明する。
【００２８】
１．画像読取装置の機械的構成
図１に示すように、画像読取装置１は、使用者により給紙トレイ２に載置された複数の原稿Ｇを排紙トレイ４に搬送するとともに、搬送中の原稿Ｇを本体部３に含まれる第１ＣＩＳ３０及び第２ＣＩＳ３２を用いて読み取るシートフィードスキャナである。給紙トレイ２は、載置部の一例であり、排紙トレイ４は、排出部の一例である。また、第１ＣＩＳ３０及び第２ＣＩＳ３０は、画像読取部の一例である。
【００２９】
画像読取装置１の本体部３には、給紙トレイ２と排紙トレイ４を接続する搬送経路２２が設けられており、この搬送経路２２の周辺に、給紙ローラ４０と、分離パッド４２と、第１搬送ローラ４４と、第２搬送ローラ４６と、切換板４８と、第１ＣＩＳ３０と、第２ＣＩＳ３２と、フロントセンサ（以下、Ｆセンサ）１３と、リアセンサ（以下、Ｒセンサ）１４と、を備える。給紙ローラ４０は、供給ローラの一例である。
【００３０】
給紙ローラ４０は、給紙トレイ２に載置された原稿Ｇに当接して回転し、給紙トレイ２に載置された原稿Ｇを本体部３の内部へと送り出す。この際、原稿Ｇは、分離パッド４２の摩擦力により各原稿Ｇ毎に分離され、搬送経路２２へと送り出される。
【００３１】
給紙トレイ２には、給紙トレイ２に載置された原稿Ｇを介してお互いに対向する吸入ローラ５０及び吸入パッド５２が設けられている。吸入ローラ５０及び吸入パッド５２は、給紙ローラ４０及び分離パッド４２が給紙トレイ２に載置された原稿Ｇを搬送経路２２へと送り出すのを補助する。
【００３２】
搬送ローラ４４、４６は、モータＭ（図３参照）により駆動され、本体部３の内部へと引き込まれた原稿Ｇを搬送経路２２に沿って搬送する。搬送経路２２において、第１搬送ローラ４４は、第２搬送ローラ４６よりも上流側に載置されている。本実施形態の画像読取装置１で搬送可能な原稿Ｇの搬送経路２２に沿った原稿長は搬送経路２２に沿った第１搬送ローラ４４と第２搬送ローラ４６の間の距離（第１搬送距離Ｌ１）よりも長い。
【００３３】
第１ＣＩＳ３０は、搬送経路２２上の第１搬送ローラ４４と第２搬送ローラ４６との間の第１読取位置Ｙ１に配置され、搬送される原稿Ｇの一方の面を第１読取位置Ｙ１で読み取る。また、第２ＣＩＳ３２は、搬送経路２２上の第１読取位置Ｙ１と第２搬送ローラ４６との間の第２読取位置Ｙ２に配置され、搬送される原稿Ｇの裏面を第２読取位置Ｙ２で読み取る。
【００３４】
本実施形態の画像読取装置１で搬送可能な原稿Ｇの原稿長は、また、搬送経路２２に沿った給紙ローラ４０と第１読取位置Ｙ１の間の第３搬送距離Ｌ３（図２参照）よりも長い。そのため、第１ＣＩＳ３０は、給紙ローラ４０によって搬送される原稿Ｇの搬送方向における先端を読み取る。以下、原稿Ｇの原稿長から第３搬送距離Ｌ３を差し引いた距離を、当該原稿Ｇの搬送基準距離ＬＫと呼ぶ。
【００３５】
第２搬送ローラ４６は、原稿Ｇを排紙トレイ４に排出する。第２搬送ローラ４６の搬送経路２２を挟んで対向する位置に、切換板４８が配置されている。切換板４８は、その姿勢が、排紙トレイ４Ａへと続くストレートパス（以下、Ｓパス）２２Ａに沿った第１姿勢Ｆ１と、排紙トレイ４Ｂへと続くＵターンパス（以下、Ｕパス）２２Ｂに沿った第２姿勢Ｆ２とに切り替わる。Ｓパス２２Ａは、第１搬送経路の一例であり、Ｕパス２２Ｂは、第２搬送経路の一例である。また、排紙トレイ４Ａは、第１排出部の一例であり、排紙トレイ４Ｂは、第２排出部の一例である。
【００３６】
Ｓパス２２Ａ及びＵパス２２Ｂは、搬送経路２２が第２搬送ローラ４６に上流側から到達する位置Ｚ３よりも下流側であって、搬送経路２２が切換板４８と対向する位置Ｚ４において搬送経路２２が分岐してなる。Ｓパス２２Ａは、略直線状に設けられており、名刺やハガキなどの小型原稿の搬送に用いられる。また、Ｕパス２２Ｂは、その一部が第２搬送ローラ４６に沿って曲線状に設けられており、Ａ４サイズ原稿などの大型原稿の搬送に用いられる。
【００３７】
排紙トレイ４Ａは、本体部３の外側ケースの一部をなすトレイ板５４によって構成される。また、排紙トレイ４Ｂは、本体部３上部の外側ケースによって構成されている。また、トレイ板５４は、本体部３に対して回動可能に構成されており、図１に実線で示す閉状態から、図１に二点鎖線で示す開状態に回動することで、排紙トレイ４Ｂを構成する。切換板４８は、トレイ板５４の状態に連動して姿勢が切り替わり、トレイ板５４が閉状態となると第１姿勢Ｆ１となり、トレイ板５４が開状態となると第２姿勢Ｆ２となる。また、本体部３には、トレイ板５４の開閉状態を検出するトレイ板検知センサ１５が設けられている。トレイ板検知センサ１５は、トレイ板５４が閉状態の場合にオンし、トレイ板５４が開状態の場合にオフする。
【００３８】
切換板４８が図１に二点鎖線で示す第１姿勢Ｆ１である場合、原稿ＧはＳパス２２Ａに沿って搬送され、排紙トレイ４Ａに排紙される。一方、切換板４８が図１に実線で示す第２姿勢Ｆ２である場合、原稿ＧはＵパス２２Ｂに沿って搬送され、排紙トレイ４Ｂに排紙される。つまり、吸入ローラ５０と給紙ローラ４０と第１搬送ローラ４４と第２搬送ローラ４６とによって、給紙トレイ２に載置された原稿Ｇを搬送経路２２に沿って搬送する搬送部５６が形成されている。
【００３９】
Ｆセンサ１３は、給紙トレイ２内の検出位置Ｙ３に配置され、給紙トレイ２に原稿Ｇが載置された場合にオンし、給紙トレイ２に原稿Ｇが載置されていない場合にオフする。Ｒセンサ１４は、搬送経路２２において第１搬送ローラ４４と第１読取位置Ｙ１との間の検出位置Ｙ４に配置され、原稿Ｇが搬送経路２２上の検出位置Ｙ４を通過する場合にオンし、原稿Ｇが検出位置Ｙ４を通過していない場合にオフする。つまり、Ｒセンサ１４は、検出位置Ｙ４を通過する原稿Ｇを検出する。
【００４０】
更に、画像読取装置１には、搬送方向Ｄ２においてＦセンサ１３と同じ検出位置Ｙ３に配置され（図２参照）、給紙トレイ２に載置された原稿Ｇが大型原稿である場合にオンし、小型原稿である場合にオフする原稿サイズ検知センサ１６、装置内の温度Ｔを検出する温度センサ１７、電源スイッチや各種設定ボタンからなり、使用者からの操作指令等を受け付ける操作部１１（図２参照）、ＬＥＤや液晶ディスプレイからなり画像読取装置１の状況を表示する表示部１２（図２参照）等が設けられている。
【００４１】
図２に本体部３の内部を上面視して示すように、搬送経路２２は、主走査方向Ｄ１において所定の幅を有しており、原稿Ｇは搬送経路２２に連続する給紙トレイ２に載置される際に、主走査方向Ｄ１において中央基準で載置される。そして、原稿Ｇは、搬送経路２２を搬送される際に、大型原稿では、搬送経路２２の主走査方向Ｄ１の幅領域を示す搬送領域Ｈの全域を用いて搬送され、小型原稿では、搬送領域Ｈの中央の一部領域である中央領域ＭＨのみを用いて搬送される。中央領域ＭＨは、主走査方向の搬送領域のうちの一部分の一例である。以下、搬送領域Ｈのうち、中央領域ＭＨより右側の領域を右側領域ＲＨと呼び、中央領域ＭＨより左側の領域を左側領域ＬＨと呼ぶ。
【００４２】
トレイ板５４は、主走査方向Ｄ１の幅が中央領域ＭＨの幅と略等しく設定されている。そのため、トレイ板５４によって構成される排紙トレイ４Ａには、中央領域ＭＨのみを用いて搬送された小型原稿が排出される。Ｆセンサ１３及びＲセンサ１４は、検出位置Ｙ３の中央領域ＭＨの主走査方向Ｄ１における中央近傍に配置されており、原稿サイズ検知センサ１６は、検出位置Ｙ３の左側領域ＬＨであって、中央領域ＭＨとの境界近傍に配置されている。
【００４３】
吸入ローラ５０及び給紙ローラ４０は、主走査方向において各々が１つのローラによって構成されており、中央領域ＭＨに配置されている。その一方、第１搬送ローラ４４及び第２搬送ローラ４６は、主走査方向において各々が同一の回転軸周りに同期して回転する３つのローラによって構成されており、その３つのローラが右側領域ＲＨ、中央領域ＭＨ、左側領域ＬＨにそれぞれ配置されている。
【００４４】
そのため、図６に破線で示す名刺や一点鎖線で示すハガキなどの小型原稿は、第１搬送ローラ４４及び第２搬送ローラ４６を用いて搬送される際に、中央領域ＭＨに配置された各々１つのローラを用いて搬送される。その一方、図６に二点鎖線で示すＡ４サイズ原稿などの大型原稿は、各々１つのローラより多くの３つのローラによって搬送される。１つのローラは、基準数以下のローラの一例であり、３つのローラは、基準数より多くのローラの一例である。
【００４５】
２．画像読取装置の電気的構成
図３に示すように、画像読取装置１は、中央処理装置（以下、ＣＰＵ）２０、ＲＯＭ２６、ＲＡＭ２７、デバイス制御部２３、第１アナログフロントエンド（以下、ＡＦＥ）２４、第２ＡＦＥ２５、搬送部駆動回路２８を備え、これらにバス１９を介して、操作部１１、表示部１２、及び各種センサ１３〜１７が接続されている。図３に点線２１で示すように、ＣＰＵ２０と、ＲＯＭ２６と、ＲＡＭ２７を含めたものは、制御部の一例である。
【００４６】
ＲＯＭ２６には、画像読取装置１の動作を制御するための各種のプログラムが記憶されており、ＣＰＵ２０は、ＲＯＭ２６から読み出したプログラムに従って各部の制御を行うとともに、後述する搬送読取処理を実行する。また、ＲＯＭ２６には、当該画像読取装置１の第１搬送距離Ｌ１、第２搬送距離Ｌ２、及び中央領域ＭＨの幅Ｈ０が記憶されている他、画像読取装置１で搬送可能な各原稿サイズの搬送基準距離ＬＫが記憶されている。
【００４７】
デバイス制御部２３は、ＣＩＳ３０、３２に接続されており、ＣＰＵ２０からの命令に基づいて読取制御信号をＣＩＳ３０、３２に送信する。ＣＩＳ３０、３２は、デバイス制御部２３からの読取制御信号に基づいて原稿Ｇの一方の面又は他方の面を読み取る。
【００４８】
第１ＡＦＥ２４は、第１ＣＩＳ３０に接続されており、第１ＣＩＳ３０から出力されるアナログ信号の読取データをデジタル信号、つまり階調データの読取データに変換する。第１ＡＦＥ２４は、変換した階調データを、バス１９を介してＲＡＭ２７に記憶する。第２ＡＦＥ２５は、第２ＣＩＳ３０に接続されており、第２ＣＩＳ３０から出力されるアナログ信号の読取データをデジタル信号の読取データに変換し、バス１９を介してＲＡＭ２７に記憶する。
【００４９】
搬送部駆動回路２８は、モータＭに接続され、ＣＰＵ２０から入力されるパルス信号に基づいてモータＭを回転駆動する。モータＭは、パルス信号の１パルスで、１ステップの回転角度分、回転駆動する。モータＭが１ステップ分駆動すると、搬送部５６を構成する各ローラが所定角度回転し、搬送経路２２上を原稿Ｇが所定距離だけ搬送される。ＣＰＵ２０は、原稿Ｇを搬送する際に、搬送部駆動回路２８にパルス信号を送信し、これに従って搬送部５６は、そのパルス信号のパルスの数に所定距離を掛けた距離だけ原稿Ｇを搬送する。以後、ＣＰＵ２０がモータＭに送信するパルス信号のパルスの数を、ステップ数と呼ぶ。
【００５０】
搬送部５６では、搬送経路２２に沿って搬送される原稿Ｇにしわが発生するのを抑制するため、給紙ローラによって搬送経路２２へと送り出された原稿Ｇが第１搬送ローラ４４及び第２搬送ローラ４６によって搬送され始めると、図１０に示すように、第１搬送ローラ４４は、搬送方向Ｄ２に原稿Ｇを進める推進力Ｆ１を与え、第２搬送ローラ４６は、搬送方向Ｄ２に原稿Ｇを進める推進力Ｆ３を与え、給紙ローラ４０は、搬送方向Ｄ２への推進を阻害する抑制力Ｆ２を与える。
【００５１】
図１０Ａに示すように、Ａ４サイズ原稿などの大型原稿では、３つの第１搬送ローラ４４を用いて搬送されることから、原稿Ｇは、少なくとも３つの推進力Ｆ１と１つの抑制力Ｆ２を受けて搬送される。その一方、図１０Ｂに示すように、名刺などの小型原稿では、１つの第１搬送ローラ４４を用いて搬送されることから、原稿Ｇは、１つの推進力Ｆ１と１つの抑制力Ｆ２を受けて搬送される。つまり、小型原稿は、大型原稿に比べて原稿Ｇの搬送に用いられる第１搬送ローラ４４及び第２搬送ローラ４６の数が少ないことから、推進力と抑制力との合力において抑制力Ｆ２の影響が大きい。
【００５２】
そのため、図６に破線で示す名刺や一点鎖線で示すハガキなどの小型原稿では、原稿Ｇが給紙ローラ４０から離反する離反タイミングにおいて、給紙ローラ４０の抑制力Ｆ２が消失することの影響が、図７に二点鎖線で示すＡ４サイズ原稿などの大型原稿に比べて大きい。その結果、小型原稿では、離反タイミングにおいて、原稿Ｇの搬送速度が大型原稿に比べて瞬間的に上昇しやすい。
【００５３】
また、小型原稿のうち、図６に破線で示す名刺などのように原稿長が第２搬送距離Ｌ２よりも短い第１原稿種の原稿Ｇでは、原稿Ｇが位置Ｚ３に到達する前に、原稿Ｇが給紙ローラ４０から離反する。その一方、小型原稿のうち、図６に一点鎖線で示すハガキなどのように原稿長が第２搬送距離Ｌ２以上の長さを有する第２原稿種の原稿Ｇでは、原稿Ｇが位置Ｚ３に到達した後に、原稿Ｇが給紙ローラ４０から離反する。
【００５４】
つまり、第２原稿種の原稿Ｇでは、離反タイミングにおいて第１搬送ローラ４４及び第２搬送ローラ４６によって搬送される一方、第１原稿種の原稿Ｇでは、離反タイミングにおいて第１搬送ローラ４４のみによって搬送される。
【００５５】
図１０Ａに示すように、第２原稿種の原稿Ｇなどの原稿長が第２搬送距離Ｌ２よりも長い原稿Ｇでは、離反タイミングにおいて第１搬送ローラ４４からの推進力Ｆ１及び第２搬送ローラ４６からの推進力Ｆ３を受ける。その一方、図１０Ｂに示すように、第１原稿種の原稿Ｇなどの原稿長が第２搬送距離Ｌ２以下の原稿Ｇでは、離反タイミングにおいて第２搬送ローラ４６からの推進力Ｆ３を受けない。従って、第１原稿種の原稿Ｇは、第２原稿種の原稿Ｇに比べて、離反タイミングにおいて受ける推進力が小さく、離反タイミングにおいて、抑制力Ｆ２が消失することの影響が大きい。
【００５６】
そのため、第１原稿種の原稿Ｇでは、離反タイミングにおいて、原稿Ｇの搬送速度が第２原稿種の原稿Ｇに比べて瞬間的に上昇しやすい。その結果、原稿Ｇのうち、離反タイミングに読取位置Ｙ１、Ｙ２に存在していた領域では、ＣＩＳ３０、３２によって読み取りができない事態が生じる。
【００５７】
このように、画像読取装置１では、原稿Ｇの原稿長が第２搬送距離Ｌ２よりも短いか否か等によって、原稿Ｇに読み取りができない領域が生じる。本実施形態の画像読取装置１では、後述する搬送読取処理において、原稿Ｇの原稿長に応じて、離反タイミングにおける原稿Ｇの搬送速度を低下させる処理を含む。
【００５８】
３．搬送読取処理
次に、図４ないし図７を参照して、原稿Ｇの搬送読取処理について説明する。本実施形態では、第１ＣＩＳ３０を用いて原稿Ｇの一方の面を読み取る形態について説明する。図４は、ＣＰＵ２０が所定のプログラムに従って実行する搬送読取処理のフローチャートを示す。ＣＰＵ２０は、Ｆセンサ１３を用いて給紙トレイ２に原稿Ｇが載置されたことが確認され、操作部１１を介して使用者から原稿Ｇの搬送読取指示が入力されると、処理を開始する。
【００５９】
ＣＰＵ２０は、搬送読取処理を開始すると、搬送読取指示に併せて受け付けた原稿Ｇの種類や原稿Ｇの読取面などの読取設定を受け付ける（Ｓ２）。次に、ＣＰＵ２０は、トレイ板検知センサ１５と原稿サイズ検知センサ１６の状態を確認する。ＣＰＵ２０は、まず、トレイ板検知センサ１５がオンしているかを確認し、トレイ板検知センサ１５がオンしている場合（Ｓ４：ＹＥＳ）、つまり、トレイ板５４が閉状態の場合に、原稿ＧがＵパス２２Ｂに沿って搬送されることを検知する。
【００６０】
次に、ＣＰＵ２０は、原稿サイズ検知センサ１６がオンしているか否かを確認する（Ｓ６）。原稿サイズ検知センサ１６がオンしている場合（Ｓ６：ＹＥＳ）、Ｕパス２２Ｂに沿って搬送される原稿Ｇが大型原稿であることから、トレイ板検知センサ１５と原稿サイズ検知センサ１６の状態に矛盾が生じていない。ＣＰＵ２０は、この場合に、原稿ＧがＵパス２２Ｂに沿って搬送されることを示すＵパスフラグをオンし（Ｓ１０）、後述する読取処理を実行する（Ｓ１８）
【００６１】
一方、ＣＰＵ２０は、原稿サイズ検知センサ１６がオフしている場合（Ｓ６：ＮＯ）、Ｕパス２２Ｂに沿って搬送される原稿Ｇが小型原稿であることを検知する。Ｕパス２２Ｂに沿って小型原稿が搬送されると、Ｕパス２２Ｂの第２搬送ローラ４６に沿った曲線部分においてジャムが発生しやすい。そのため、ＣＰＵ２０は、この場合に、原稿Ｇの搬送を開始する前に、「トレイ板が閉じているので、トレイ板を開けて下さい。」との旨のエラーメッセ−ジを表示部１２に表示させ（Ｓ１２）、搬送読取処理を終了する。
【００６２】
また、ＣＰＵ２０は、トレイ板検知センサ１５がオフしている場合（Ｓ４：ＮＯ）、つまり、トレイ板５４が開状態の場合に、原稿ＧがＳパス２２Ｂに沿って搬送されることを検知し、次に、原稿サイズ検知センサ１６がオンしているか否かを確認する（Ｓ８）。原稿サイズ検知センサ１６がオフしている場合（Ｓ８：ＮＯ）、Ｓパス２２Ａに沿って搬送される原稿Ｇが小型原稿であることから、トレイ板検知センサ１５と原稿サイズ検知センサ１６の状態に矛盾が生じていない。ＣＰＵ２０は、この場合に、原稿ＧがＳパス２２Ａに沿って搬送されることを示すＳパスフラグをオンし（Ｓ１４）、後述する読取処理を実行する（Ｓ１８）。
【００６３】
一方、ＣＰＵ２０は、原稿サイズ検知センサ１６がオンしている場合（Ｓ８：ＹＥＳ）、Ｓパス２２Ａに沿って搬送される原稿Ｇが大型原稿であることを検知する。Ｓパス２２Ｂに沿って大型原稿が搬送されると、原稿Ｇを排紙トレイ４Ｂに排出することができずにジャムが発生する。そのため、ＣＰＵ２０は、原稿Ｇの搬送を開始する前に、「トレイ板が開いているので、トレイ板を閉じて下さい。」との旨のエラーメッセ−ジを表示部１２に表示させ（Ｓ１６）、搬送読取処理を終了する。
【００６４】
次に、読取処理について説明する。図５に、読取処理のフローチャートを示す。読取処理において、ＣＰＵ２０は、まず、搬送部５６に対して原稿Ｇの搬送を指示する（Ｓ２２）。この際、ＣＰＵ２０は、搬送設定に基づく一定の搬送速度を用いて原稿Ｇを搬送する。次に、ＣＰＵ２０は、Ｓ２において検出した原稿Ｇの原稿サイズに対応する搬送基準距離ＬＫを、ＲＯＭ２６から読み出す（Ｓ２４）。
【００６５】
ＣＰＵ２０は、原稿Ｇの搬送を開始すると、Ｒセンサ１４を用いて搬送中の原稿Ｇの位置を検出する（Ｓ２６：ＮＯ）。ＣＰＵ２０は、Ｒセンサ１４がオンし、原稿Ｇの先端が検出位置Ｙ４に到達したことを検出すると（Ｓ２６：ＹＥＳ）、搬送経路２２に沿った検出位置Ｙ４と第１読取位置Ｙ１の間の距離に相当する第１ステップ数ＰＡだけ原稿Ｇを更に搬送させし（Ｓ２８）、第１ＣＩＳ３０に対して原稿Ｇの読み取りを指示する（Ｓ３０）。
【００６６】
次に、ＣＰＵ２０は、Ｓ２において設定された原稿種の原稿幅を、ＲＯＭ２６に記憶された中央領域ＭＨの幅Ｈ０と比較する（Ｓ３２）。ＣＰＵ２０は、原稿Ｇの原稿幅が中央領域ＭＨの幅Ｈ０よりも長い場合（Ｓ３２：ＮＯ）、原稿ＧがＡ４サイズ原稿などの大型原稿であると判断する。この場合、ＣＰＵ２０は、搬送設定に基づく一定の搬送速度で原稿Ｇを搬送させて原稿Ｇを読み取らせる。
【００６７】
一方、ＣＰＵ２０は、原稿Ｇの原稿幅が中央領域ＭＨの幅Ｈ０以下の長さを有する場合（Ｓ３２：ＹＥＳ）、原稿Ｇが名刺やハガキなどの小型原稿であると判断する。ＣＰＵ２０は、原稿Ｇが小型原稿であると判断した場合に、更に、Ｓ２において設定された原稿種の原稿長を、ＲＯＭ２６に記憶された第１搬送距離Ｌ１及び第２搬送距離Ｌ２と比較する（Ｓ３４）。
【００６８】
ＣＰＵ２０は、原稿Ｇの原稿長が第１搬送距離Ｌ１以上及び第２搬送距離Ｌ２以上の長さを有している場合（Ｓ３４：ＮＯ）、原稿Ｇが第２原稿種の原稿Ｇであると判断する。この場合、ＣＰＵ２０は、大型原稿であると判断した場合と同様に、搬送設定に基づく一定の搬送速度で原稿Ｇを搬送させて原稿Ｇを読み取らせる。
【００６９】
一方、ＣＰＵ２０は、原稿Ｇの原稿長が第１搬送距離Ｌ１以上の長さを有し、第２搬送距離Ｌ２よりも短い場合（Ｓ３４：ＹＥＳ）、原稿Ｇが第１原稿種の原稿Ｇであると判断する。ＣＰＵ２０は、原稿Ｇが第１原稿種の原稿Ｇであると判断した場合に、原稿Ｇの離反タイミングにおける搬送速度を低下させるために、搬送部５６に対して搬送停止命令を出力する処理（Ｓ３６〜Ｓ４２）を実行する。搬送停止命令は、減速命令の一例である。
【００７０】
具体的には、ＣＰＵ２０は、Ｒセンサ１４がオンしてからＳ２４で読み出した搬送基準距離ＬＫだけ原稿Ｇを搬送させ、（Ｓ３６：ＮＯ）、原稿Ｇが搬送基準距離ＬＫ搬送されると、搬送停止命令を出力する（Ｓ３８）。前述したように、搬送基準距離ＬＫは、原稿Ｇの原稿長から第３搬送距離Ｌ３を差し引いた距離に設定されていることから、搬送停止命令を出力するタイミングは、離反タイミングと略同一である。更に詳細には、原稿Ｇが給紙ローラ４０から離反する位置Ｚ５（図２参照）は、給紙ローラ４０が載置された位置Ｚ１よりも僅かに下流側であることから、搬送停止命令を出力するタイミングは、離反タイミングの直前のタイミングとなる（図７参照）。
【００７１】
図７に示すように、搬送停止命令が出力されると、搬送部５６は原稿Ｇの搬送速度を低下し、離反タイミングにおける搬送速度が、搬送設定に基づく搬送速度よりも低下する。ＣＰＵ２０は、搬送速度の低下時も原稿Ｇの読み取りを継続させる。ＲＯＭ２６には、ＣＩＳ３０、３２が読み取る読取データの副走査方向Ｄ２における拡大又は縮小倍率を示す副走査倍率であって搬送速度の低下時におけるもの、つまり、搬送速度の低下時における副走査倍率の変化を示す減速テーブルが記憶されており、ＣＰＵ２０は、搬送速度の減速時において、当該減速テーブルを用いて原稿Ｇの読み取りを継続させる。
【００７２】
ＣＰＵ２０は、搬送部駆動回路２８を介して搬送部５６の停止、つまり、原稿Ｇの搬送速度がゼロとなることを監視する（Ｓ４０：ＮＯ）。ＣＰＵ２０は、搬送部５６が停止すると（Ｓ４０：ＹＥＳ）、搬送部５６を再度駆動させるための搬送駆動命令を出力する（Ｓ４２）。
【００７３】
図７に示すように、搬送駆動命令が出力されると、原稿Ｇの搬送速度は搬送設定に基づく一定の搬送速度となるまで上昇する。ＣＰＵ２０は、搬送速度の上昇時も原稿Ｇの読み取りを継続させる。ＲＯＭ２６には、ＣＩＳ３０、３２の副走査倍率であって搬送速度の上昇時におけるもの、つまり、搬送速度の上昇時における副走査倍率の変化を示す加速テーブルが記憶されており、ＣＰＵ２０は、搬送速度の上昇時において、当該加速テーブルを用いて原稿Ｇの読み取りを継続させる。
【００７４】
ＣＰＵ２０は、Ｒセンサ１４がオフするまで原稿Ｇの読み取りを継続させる（Ｓ４４：ＮＯ）。ＣＰＵ２０は、Ｒセンサ１４がオフし、原稿Ｇの搬送方向における後端が検出位置Ｙ４に到達したことを検出すると（Ｓ４４：ＹＥＳ）、搬送部５６を用いて原稿Ｇを更に第１ステップ数ＰＡだけ搬送させて（Ｓ４６）、原稿Ｇの表面の読み取りを停止させるする（Ｓ４８）。
【００７５】
次に、ＣＰＵ２０は、Ｆセンサ１３を用いて給紙トレイ２に未読取の原稿Ｇが残っているかを検出する（Ｓ５０）。ＣＰＵ２０は、未読取の原稿Ｇが残っている場合（Ｓ５０：ＹＥＳ）、Ｓ２６からの処理を繰り返す。一方、未読取の原稿Ｇが残っていない場合（Ｓ５０：ＮＯ）、原稿Ｇを原稿サイズに基づいた排紙トレイ４に排紙して原稿Ｇの搬送を停止し（Ｓ５２）、読取処理及び搬送読取処理を終了する。
【００７６】
４．本実施形態の効果
（１）本実施形態の画像読取装置１では、原稿Ｇが第１原稿種であるか第２原稿種であるかを判断し、第１原稿種と判断された原稿Ｇの離反タイミングにおける搬送速度を、第２原稿種と判断された原稿Ｇに対して遅くして搬送させる。第１原稿種の原稿Ｇは、原稿長が第２搬送距離Ｌ２より短く、離反タイミングにおいて第２搬送ローラ４６に当接していないことから、原稿長が第２搬送距離Ｌ２よりも長く、離反タイミングにおいて第２搬送ローラに当接している第２原稿種の原稿Ｇに比べて、離反タイミングにおいて搬送速度が上昇しやすい。
【００７７】
この画像読取装置では、第１原稿種の原稿Ｇに対して、第２原稿種の原稿Ｇよりも離反タイミングにおける搬送速度を遅くする。搬送速度を遅くすると、搬送速度が瞬間的に上昇しても、搬送速度が到達する最高速度が搬送速度を遅くしない場合に比べて遅くなり、搬送速度の瞬間的な上昇により原稿Ｇが搬送される距離が短く抑制される。従って、ＣＰＵ２０がＣＩＳ３０、３２を用いて所定の周期で原稿Ｇを読み取る際に、原稿Ｇが予定された距離よりも多く搬送されて読み取りができない領域、あるいは読取データの画質が低下する領域が発生することを抑制することができる。
【００７８】
（２）本実施形態の画像読取装置１では、第１原稿種の原稿Ｇの離反タイミングにおける搬送速度を遅くする際に、搬送停止命令を出力するので、離反タイミングにおける原稿の搬送速度を限定的に遅くすることができる。本実施形態の画像読取装置１では、略離反タイミングに、更に詳細には、離反タイミングの直前のタイミングにおいて搬送停止命令を出力するので、原稿Ｇの読み取り開始から離反タイミングまでの間において、搬送速度の低下により読取データの画質が低下することを抑制することができる。
【００７９】
（３）本実施形態の画像読取装置１では、原稿Ｇが第１原稿種であるか第２原稿種であるかを判断するに先立って、原稿Ｇが小型原稿であるか大型原稿であるかを判断し、小型原稿であると判断された原稿Ｇに対して、第１原稿種であるか第２原稿種であるかを判断する。小型原稿は、原稿幅が中央領域ＭＨの幅Ｈ０より短く、離反タイミングにおいて１つの第１搬送ローラ４４にしか当接していないことから、原稿幅が中央領域ＭＨの幅Ｈ０よりも長く、離反タイミングにおいて３つの第１搬送ローラ４４に当接している大型原稿に比べて、離反タイミングにおいて搬送速度が上昇しやすい。
【００８０】
この画像読取装置では、比較的搬送速度が上昇しにくい大型原稿に対しては、原稿Ｇが小型原稿であるか大型原稿であるかを判断せず、比較的搬送速度が上昇しやすい小型原稿に対してのみ、原稿Ｇが小型原稿であるか大型原稿であるかを判断する。そのため、原稿サイズに基づいて搬送速度が上昇しやすい原稿Ｇに対して、選択的に搬送速度の上昇を抑制するので、読み取りができない領域、あるいは読取データの画質が低下する領域が発生することを効果的に抑制することができる。
【００８１】
（４）本実施形態の画像読取装置１では、読取処理に先だって検出された読取設定から、読み取りの対象となる原稿Ｇの原稿サイズを検出する。そのため、読取処理においては、当該検出した原稿サイズから、原稿Ｇが小型原稿であるか大型原稿であるか、あるいは第１原稿種であるか第２原稿種であるかを判断することができる。
【００８２】
＜実施形態２＞
実施形態２を、図４、８を用いて説明する。本実施形態は、読取処理において、第１原稿種の原稿Ｇの離反タイミングにおける搬送速度を低下させるために、離反タイミングを含む原稿Ｇの搬送期間全体の搬送速度を、第２原稿種の原稿Ｇに比べて低下させる点で、実施形態１と異なる。以下の説明では、実施形態１と同一の内容については重複した記載を省略する。
【００８３】
１．搬送読取処理
図４に示すように、ＣＰＵ２０は、搬送読取処理を開始すると、搬送読取指示に併せて読取設定を受け付ける（Ｓ２）。本実施形態でも、読取設定において、原稿Ｇの読取面が原稿Ｇの表面に設定されている。ＣＰＵ２０は、Ｓ４からの処理を実行し、所定の場合に（Ｓ６：ＹＥＳ、Ｓ８：ＮＯ）読取処理を実行する。
【００８４】
図８に、本実施形態の読取処理のフローチャートを示す。読取処理において、ＣＰＵ２０は、まず、Ｓ２において設定された原稿種の原稿幅を、ＲＯＭ２６に記憶された中央領域ＭＨの幅Ｈ０と比較する（Ｓ６２）。ＣＰＵ２０は、原稿Ｇの原稿幅が中央領域ＭＨの幅Ｈ０よりも長い場合（Ｓ３２：ＮＯ）、原稿ＧがＡ４サイズ原稿などの大型原稿であると判断する。この場合、ＣＰＵ２０は、Ｓ２において検出した搬送設定から解像度を読み出し、基準の解像度と比較する（Ｓ６４、６６）。本実施形態の画像読取装置１では、基準の解像度が６００ｄｐｉに設定されている。
【００８５】
ＣＰＵ２０は、読み出した解像度と基準の解像度を比較し、これらの値が等しい場合には（Ｓ６４：ＹＥＳ）、原稿Ｇの搬送速度を第２搬送速度に設定する（Ｓ６８）。また、ＣＰＵ２０は、読み出した解像度が基準の解像度よりも大きい場合には（Ｓ６４：ＮＯ、Ｓ６６：ＹＥＳ）、原稿Ｇの搬送速度を第２搬送速度よりも低速度の第３搬送速度に設定する（Ｓ７０）。また、ＣＰＵ２０は、読み出した解像度が基準の解像度よりも小さい場合には（Ｓ６４：ＮＯ、Ｓ６６：ＮＯ）、原稿Ｇの搬送速度を第２搬送速度よりも高速度の第１搬送速度に設定する（Ｓ７２）。
【００８６】
一方、ＣＰＵ２０は、原稿Ｇの原稿幅が中央領域ＭＨの幅Ｈ０以下の長さを有する場合（Ｓ６２：ＹＥＳ）、原稿Ｇが名刺やハガキなどの小型原稿であると判断する。ＣＰＵ２０は、原稿Ｇが小型原稿であると判断した場合に、更に、Ｓ２において設定された原稿種の原稿長を、ＲＯＭ２６に記憶された第１搬送距離Ｌ１及び第２搬送距離Ｌ２と比較する（Ｓ７４）。
【００８７】
ＣＰＵ２０は、原稿Ｇの原稿長が第１搬送距離Ｌ１以上及び第２搬送距離Ｌ２以上の長さを有している場合（Ｓ７４：ＮＯ）、原稿Ｇが第２原稿種の原稿Ｇであると判断する。この場合、ＣＰＵ２０は、原稿Ｇの搬送速度を第２搬送速度に設定する（Ｓ７６）。
【００８８】
一方、ＣＰＵ２０は、原稿Ｇの原稿長が第１搬送距離Ｌ１以上の長さを有し、第２搬送距離Ｌ２よりも短い場合（Ｓ３４：ＹＥＳ）、原稿Ｇが第１原稿種の原稿Ｇであると判断する。ＣＰＵ２０は、原稿Ｇが第１原稿種の原稿Ｇであると判断した場合に、原稿Ｇの搬送速度を第２搬送速度よりも低速度の第４搬送速度に設定する（Ｓ７８）。なお、第４搬送速度は、第２搬送速度よりも低速度に設定されていれば、第３搬送速度よりも高速度に設定されていても、第３搬送速度よりも低速度に設定されていてもよい。
【００８９】
ＣＰＵ２０は、原稿Ｇの搬送速度を設定すると、当該設定された搬送速度を用いて原稿Ｇの搬送を指示する（Ｓ８０）。ＣＰＵ２０は、原稿Ｇの搬送を指示すると、Ｒセンサ１４を用いて搬送中の原稿Ｇの位置を検出する（Ｓ８２：ＮＯ）。ＣＰＵ２０は、Ｒセンサ１４がオンし、原稿Ｇの先端が検出位置Ｙ４に到達したことを検出すると（Ｓ８２：ＹＥＳ）、搬送部５６を用いて原稿Ｇを更に第１ステップ数ＰＡだけ搬送させ（Ｓ８４）、第１ＣＩＳ３０に対して原稿Ｇの読み取りを指示する（Ｓ８６）。なお、原稿Ｇの読み取りを開始してからの処理は、実施形態１と同一であり、重複した説明を省略する。
【００９０】
２．本実施形態の効果
本実施形態の画像読取装置１では、第１原稿種の原稿Ｇの離反タイミングにおける搬送速度を遅くする際に、第１原稿種と第２原稿種で原稿Ｇの搬送速度を各々設定し、かつ、第１原稿種の原稿Ｇの搬送速度を第２原稿種の原稿Ｇの搬送速度よりも遅く設定する。そのため、離反タイミングを含む原稿Ｇの搬送期間に亘って、第１原稿種の原稿Ｇの搬送速度を第２原稿種の原稿Ｇの搬送速度に比べて遅くすることができるとともに、原稿Ｇの搬送期間に搬送速度の変化が生じることを抑制することができる。
【００９１】
＜実施形態３＞
実施形態３を、図９を用いて説明する。本実施形態は、読取処理において、原稿Ｇの原稿サイズを、原稿Ｇの先端を読み取って取得した原稿Ｇの先端読取データから検出する点で、読取設定から検出する実施形態１と異なる。以下の説明では、実施形態１と同一の内容については重複した記載を省略する。
【００９２】
本実施形態では、読取設定において、原稿Ｇの読取面が原稿Ｇの表面に設定されている。また、本実施形態では、原稿Ｇとして、名刺やハガキ、Ａ４サイズ原稿など、原稿幅から原稿長が推定される、いわゆる定型サイズの原稿Ｇを読み取りの対象とする。
【００９３】
１．搬送読取処理
図９に、本実施形態の読取処理のフローチャートを示す。読取処理において、ＣＰＵ２０は、第１ＣＩＳ３０に対して原稿Ｇの読み取りを指示すると（Ｓ３０）、予め定められた先端読取範囲に亘って原稿Ｇを読み取らせ、先端読取データを取得させる（Ｓ９２）。ＣＰＵ２０は、取得した先端読取データから原稿Ｇの原稿幅を検出し、当該原稿幅から原稿Ｇの原稿長を推定する（Ｓ９４）。
【００９４】
ＣＰＵ２０は、Ｓ９４において検出した原稿Ｇの原稿幅を、ＲＯＭ２６に記憶された中央領域ＭＨの幅Ｈ０と比較し、原稿Ｇが大型原稿であるか、小型原稿であるかを判断する（Ｓ９６）。また、ＣＰＵ２０は、原稿Ｇが小型原稿であると判断した場合に（Ｓ９６：ＹＥＳ）、更に、Ｓ９４において推定した原稿Ｇの原稿長を、ＲＯＭ２６に記憶された第１搬送距離Ｌ１及び第２搬送距離Ｌ２と比較し、原稿Ｇが第１原稿種の原稿Ｇであるか、第２原稿種の原稿Ｇであるかを判断する（Ｓ９８）。なお、これ以降の処理は、実施形態１と同一であり、重複した説明を省略する。
【００９５】
２．本実施形態の効果
本実施形態の画像読取装置１では、原稿Ｇの搬送方向先端を読み取った先端読取データから、読み取りの対象となる原稿Ｇの原稿幅を検出し、原稿サイズを検出する。読み取りの対象となる原稿Ｇを用いて取得された先端読取データから原稿サイズを検出するので、原稿Ｇが小型原稿であるか大型原稿であるか、あるいは第１原稿種であるか第２原稿種であるかを正確に判断することができる。
【００９６】
＜他の実施形態＞
本発明は上記記述及び図面によって説明した実施形態に限定されるものではなく、例えば次のような種々の態様も本発明の技術的範囲に含まれる。
（１）上記実施形態では、スキャナ機能を備えた画像読取装置１を用いて説明を行ったが、本発明はこれに限られず、プリンタ機能、コピー機能、ファクシミリ機能などを備えた複合機であってもよい。
【００９７】
（２）上記実施形態では、画像読取装置１が１つのＣＰＵ２０を有し、この１つのＣＰＵ２０によって搬送読取処理等の各種処理が実行される例を用いて説明を行ったが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【００９８】
（３）また、ＣＰＵ２０が実行するプログラムは必ずしもＲＯＭ２６に記憶されている必要はなく、ＣＰＵ２０自身に記憶されていてもよければ、他の記憶装置に記憶されていてもよい。
【００９９】
（４）上記実施形態では、画像読取装置１の搬送ローラ４４、４６の位置関係に基づいて、大型原稿の例としてＡ４サイズ原稿を用いて説明を行い、小型原稿の例として名刺、ハガキを用いて説明を行い、第１原稿種の原稿Ｇの例として名刺を用いて説明を行い、第２原稿種の原稿Ｇの例としてハガキを用いて説明を行ったが、本発明はこれに限られるものではない。搬送ローラ４４、４６の位置関係の変更によっては、第１原稿種の原稿Ｇにハガキが含まれることがあり、小型原稿にＡ４サイズ原稿が含まれることがある。
【０１００】
（５）上記実施形態では、原稿Ｇが小型原稿であるか大型原稿であるかを判断する際に、読取設定又は先端読取データから原稿サイズを検出する例を用いて説明を行ったが、本発明はこれに限られるものではない。原稿サイズ検知センサ１６の状態に基づいて原稿Ｇが小型原稿であるか大型原稿であるかを判断してもよい。更には、原稿サイズ検知センサ１６とトレイ板検知センサ１５の状態に矛盾が生じていない場合には、原稿サイズ検知センサ１６に代わってトレイ板検知センサ１５の状態に基づいて原稿Ｇが小型原稿であるか大型原稿であるかを判断してもよい。
【０１０１】
（６）上記実施形態では、まず、原稿Ｇが小型原稿であるか大型原稿であるかを判断し、小型原稿であると判断された原稿Ｇに対して、第１原稿種であるか第２原稿種であるかを判断する例を用いて説明を行ったが、本発明はこれに限られるものではない。原稿Ｇが小型原稿であるか大型原稿であるかを判断せずに、読み取りの対象となる原稿Ｇの全てに対して第１原稿種であるか第２原稿種であるかを判断してもよい。
【０１０２】
（７）上記実施形態では、第１原稿種の原稿Ｇの離反タイミングにおける搬送速度を遅くする際に、搬送停止命令を出力する例を用いて説明を行ったが、本発明はこれに限られるものではない。搬送停止命令の代わりに減速命令を出力して第１原稿種の原稿Ｇの離反タイミングにおける搬送速度を遅くしてもよい。
【符号の説明】
【０１０３】
１：画像読取装置、２：給紙トレイ、４Ａ、４Ｂ：排紙トレイ、１１：操作部、１２：表示部、２２：搬送経路、２２Ａ：Ｓパス、２２Ｂ：Ｕパス、３０、３２：ＣＩＳ、４０：給紙ローラ、４４：第１搬送ローラ、４６：第２搬送ローラ、５４：トレイ板、Ｄ１：主走査方向、Ｄ２：搬送方向（副走査方向）、Ｈ：搬送領域、Ｌ１：第１搬送距離、Ｌ２：第２搬送距離、Ｌ３：第３搬送距離
【図１】
2014103560.tif 000003
【図２】
2014103560.tif 000004
【図３】
2014103560.tif 000005
【図４】
2014103560.tif 000006
【図５】
2014103560.tif 000007
【図６】
2014103560.tif 000008
【図７】
2014103560.tif 000009
【図８】
2014103560.tif 000010
【図９】
2014103560.tif 000011
【図１０Ａ】
2014103560.tif 000012
【図１０Ｂ】
2014103560.tif 000013